(57)【要約】      （修正有）【課題】前パネルの組み付けを容易にすると共に、前パネルの組み付け隙間に侵入した雨水を確実に排水する貯湯式給湯機を提供する。【解決手段】貯湯タンクを収容した外装ケースの前面下方には、前方へやや突出した配管接続部９が設けられた貯湯式給湯機で、前記外装ケースの前記配管接続部９を覆う前パネル８は、貯湯タンクを覆う両側板４の前面端部に形成された内方への折り返し部１２に装着されて取り付けられるもので、前記配管接続部９の左右端部には折り返し部１２の下端及び前パネル８の左右端部１３下端を載置する載置部１４が形成され、この載置部１４には雨水を排水する排水口１５が設けられていることにより、錆による早期の劣化を防止するものである。【選択図】図５
2014048000.tif 000002
【特許請求の範囲】
【請求項１】
貯湯タンクを収容した外装ケースの前面下方には、前方へやや突出した配管接続部が設けられた貯湯式給湯機に於いて、前記外装ケースの前記配管接続部を覆う前パネルは、貯湯タンクを覆う両側板の前面端部に形成された内方への折り返し部に装着されて取り付けられるもので、前記配管接続部の左右端部には折り返し部の下端及び前パネルの左右端部下端を載置する載置部が形成され、この載置部には雨水を排水する排水口が設けられている事を特徴とする貯湯式給湯機。
【発明の詳細な説明】
【技術分野】
【０００１】
この発明は、貯湯タンクを収容した外装ケースの前パネルの組み付けが楽に行われると共に、隙間に入り込んだ雨水を容易に排水出来るようにした貯湯式給湯機に関するものである。
【背景技術】
【０００２】
従来よりこの種の屋外に設置されるものに於いては、雨水による汚れを防止する為に、天板上に凹状の通路を形成し、雨水を集めて最終的には前パネルに形成した縦溝から下の地面に排水するようにしたものであった。（例えば、特許文献１）
【先行技術文献】
【特許文献】
【０００３】
【特許文献１】特開２０１１−２１４７２６号公報
【発明の概要】
【発明が解決しようとする課題】
【０００４】
ところでこの従来のものでは、雨水が天板上の凹状の通路に集束する前に、側板と前パネルとの隙間などに雨水が侵入し、これがなかなか抜けず内部に侵入するなどして、錆の原因となって早期の劣化を招くと言う課題を有するものであった。
【課題を解決するための手段】
【０００５】
この発明はこの点に着目し上記課題を解決する為、特にその構成を、貯湯タンクを収容した外装ケースの前面下方には、前方へやや突出した配管接続部が設けられた貯湯式給湯機に於いて、前記外装ケースの前記配管接続部を覆う前パネルは、貯湯タンクを覆う両側板の前面端部に形成された内方への折り返し部に装着されて取り付けられるもので、前記配管接続部の左右端部には折り返し部の下端及び前パネルの左右端部下端を載置する載置部が形成され、この載置部には雨水を排水する排水口が設けられているものである。
【発明の効果】
【０００６】
以上のようにこの発明によれば、配管接続部の左右端部に折り返し部の下端と、前パネルの左右下端を載置する載置部が形成されているので、組み付け時に前パネルを一旦載置部に載置し出来、組み付けが極めて容易に行われるものであり、又載置部には雨水の排水口が設けられているので、折り返し部を伝って載置部に集中する雨水をスムーズに排水口から排水させることが出来、内部に侵入して錆の原因となって早期の劣化を招く心配がなく、常に安心して使用出来るものである。
【図面の簡単な説明】
【０００７】
【図１】この発明の一実施形態を示す貯湯式給湯機の正面図。
【図２】同右側面図。
【図３】図１のＡ−Ａ’線断面図。
【図４】図１のB−B’線断面図。
【図５】要部拡大平面図。
【図６】同要部斜視図。
【発明を実施するための形態】
【０００８】
次にこの発明に係る貯湯式給湯機の一実施形態を図面に基づいて説明する。
１は円筒状の貯湯タンク２を収容した方形の外装ケースで、背面の背面板３と左右の側板４、５と天板６と底板７と点検や修理、設置時の配管の為に着脱される前パネル８とから構成されている。
９は前記外装ケース１の前面側で下方には各配管を収納する配管収納部１０を形成するように前方に突出した段部からなる配管接続部で、上面には各配管の接続部分１１が該配管接続部９を貫通して固定されている。
【０００９】
１２は前記左右の側板４、５の前面側の端部に形成された内側への折り返し部で、前パネル８の左右の端部１３との当接状態の組み付け時では、この当接状態の隙間から流入する雨水の外装ケース１内への侵入を垂直方向に渡って阻止するものである。
【００１０】
１４は前記配管接続部９の左右端部に突出形成された小半円状の載置部で、前記折り返し部１２の下端が載置されると共に、前パネル８の左右の端部１３下端が載置されて、組み付け時に前パネル８を一旦置けて組み付けが容易に行われるものである。
【００１１】
１５は載置部１４の折り返し部１２直下の外側に形成された排水口で、上記したように前パネル８と折り返し部１２との当接状態の隙間から流入する雨水を、該折り返し部１２の壁面を伝って流下させて載置部１４に集めて排水するものであり、又排水口１５とは離れた前方位置で折り返し部１２の内側には、折り返し部１２下端から内方に侵入した雨水を排水する補助排水口１６が備えられている。
【００１２】
１７は貯湯タンク２の底部に固定され底板７を貫通して備えられている３本の支持脚である。
１８は排水栓１９の操作窓２０を覆った窓カバー、２１は給水管、２２は出湯管、２３は戻り管である。
【００１３】
次にこの一実施形態の作用について説明すれば、今外装ケース１への前パネル８の組み付けでは、左右の側板４、５の折り返し部１２に、前パネル８の左右の端部１３の内側折り曲げを当接させた状態で、この前パネル８の端部１３の下端を載置部１４に載置させることで、前パネル８は一旦仮置きされた状態となり、片手で前パネル８を支えて適宜箇所、ここでは図示されていないが、正面の数カ所にビス止めされて前パネル８の組み付けが終了するものであり、配管接続部９の左右端部に載置部１４を形成したことで、前パネル８を左右の端部１３が折り返し部１２と当接した状態で一旦置けて、一人でも容易にビス止め出来て極めて簡単に組み付けすることが出来るものである。
【００１４】
更に器具の屋外設置等により、前パネル８の端部１３と折り返し部１２との当接部分から雨水が浸入した場合では、折り返し部１２が壁となって外装ケース１内への流入は阻止され、侵入した雨水は折り返し部１２を伝って下方に流下して、載置部１４上に集束するので、この載置部１４に設けられた排水口１５から配管が収納された配管収納部１０を介して地面に排水されるものであり、又載置部１４上の雨水の一部は、折り返し部１２の下端と載置部１４との僅かな隙間から該折り返し部１２の内側に流入するが、この内側に流入した雨水は補助排水口１６から地面へと排水されるものであり、前パネル８の取り付け隙間より侵入した雨水は、排水口１５を介して確実に排水され、外装ケース１内に侵入して錆の原因になることがなく、早期の劣化の心配もなく長期に渡って安心して使用出来るものである。
【符号の説明】
【００１５】
１  外装ケース
２  貯湯タンク
４  右側板
５  左側板
８  前パネル
９  配管接続部
１２  折り返し部
１３  端部
１４  載置部
１５  排水口
【図１】
2014048000.tif 000003
【図２】
2014048000.tif 000004
【図３】
2014048000.tif 000005
【図４】
2014048000.tif 000006
【図５】
2014048000.tif 000007
【図６】
2014048000.tif 000008